【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
無認可無線周波数スペクトル帯域へのアクセスを求める競合に勝つことと、
複数のインターリーブされたリソースブロック上でアップリンク（ＵＬ）チャネル使用ビーコン信号を送信することと、
前記無認可無線周波数スペクトル帯域へのアクセスを求める前記競合に勝つと、およびアップリンクチャネル使用ビーコン信号を送信した後、要求メッセージを送信すること、ここで、前記要求メッセージは、前記無認可無線周波数スペクトル帯域において動作するセルにアクセスするために、拡張物理ランダムアクセスチャネル（ｅＰＲＡＣＨ）上でユーザ機器（ＵＥ）によって送信される、と、
複数のインターリーブされたリソースブロック上でダウンリンク（ＤＬ）チャネル使用ビーコン信号を受信することと、
前記要求メッセージを送信したことに応答して、前記無認可無線周波数スペクトル帯域を介して応答メッセージを受信することと、
を備える、方法。
【請求項２】
ワイヤレス通信のための方法であって、
無認可無線周波数スペクトル帯域へのアクセスを求める競合に勝つことと、
複数のインターリーブされたリソースブロック上でアップリンク（ＵＬ）チャネル使用ビーコン信号を受信することと、
第１の要求メッセージを受信すること、ここで、前記第１の要求メッセージが、前記無認可無線周波数スペクトル帯域において動作するセルにアクセスするために、第１のユーザ機器（ＵＥ）から拡張物理ランダムアクセスチャネル（ｅＰＲＡＣＨ）上で基地局によって受信される、と、
複数のインターリーブされたリソースブロック上でダウンリンク（ＤＬ）チャネル使用ビーコン信号を送信することと、
前記無認可無線周波数スペクトル帯域へのアクセスを求める前記競合に勝ったことに応答して、またダウンリンクチャネル使用ビーコン信号を送信した後、また前記第１のＵＥから前記第１の要求メッセージを受信したことに応答して、前記無認可無線周波数スペクトル帯域を介して応答メッセージを送信することと、
を備える、方法。
【請求項３】
前記要求メッセージが、接続セットアップ要求、ハンドオーバ完了指示、接続再確立要求、バッファステータス報告、デバイス識別子、または原因値のうちの少なくとも１つを備える、請求項１または２に記載の方法。
【請求項４】
前記応答メッセージが、接続構成メッセージ、チャネル競合解決指示、スケジュールされたアップリンク許可、デバイス識別子、またはタイミング調整の指示のうちの少なくとも１つを備える、請求項１または２に記載の方法。
【請求項５】
前記ｅＰＲＡＣＨが、前記無認可無線周波数スペクトル帯域を介して送信されるまたはそれぞれ受信される、請求項１または２に記載の方法。
【請求項６】
前記要求メッセージが、スケジュールされていない要求メッセージである、請求項１に記載の方法。
【請求項７】
システム情報ブロック中で、前記応答メッセージの受信のための少なくとも１つの時間窓の指示を受信することと、好ましくは、
前記少なくとも１つの時間窓のうちの少なくとも１つ中に前記応答メッセージについて前記無認可無線周波数スペクトル帯域を監視することと、
をさらに備える、請求項１に記載の方法。
【請求項８】
前記少なくとも１つの時間窓の前記指示が、少なくとも１つの接続確立時間窓の第１の指示と少なくとも１つのハンドオーバ時間窓の第２の指示とを備える、請求項７に記載の方法。
【請求項９】
システム情報ブロック中で、周波数インターレースリソースブロックへの前記ｅＰＲＡＣＨのリソースセットのマッピングを受信すること、および好ましくは、
前記ｅＰＲＡＣＨの前記リソースセットの中から、前記要求メッセージを送信するためのリソースセットを選択すること、または好ましくは、
前記システム情報ブロック中で、前記ｅＰＲＡＣＨのためのトランスポートブロックサイズの少なくとも１つの指示、および好ましくは前記ｅＰＲＡＣＨについての少なくとも１つの電力制御パラメータを、受信すること、
をさらに備える、請求項１に記載の方法。
【請求項１０】
システム情報ブロック中で、前記送信することを実行するために利用可能な少なくとも１つのサブフレームの指示を受信すること、および／または、
前記応答メッセージを受信したことに応答して、スケジュールされた確認メッセージを送信すること、および／または、
前記応答メッセージを受信する前に前記送信することを繰り返すこと、
をさらに備える、請求項１に記載の方法。
【請求項１１】
前記ｅＰＲＡＣＨが、少なくとも１つの競合ベースのリソースセットを備え、および前記ｅＰＲＡＣＨが、好ましくは、少なくとも１つの専用のリソースセットをさらに備え、または前記要求メッセージが、好ましくは、前記少なくとも１つの専用のリソースセットのうちの１つを使用して送信されたハンドオーバ完了指示である、請求項１に記載の方法。
【請求項１２】
前記要求メッセージが、サブフレーム境界と同期して送信される、請求項１に記載の方法。
【請求項１３】
ワイヤレス通信のための方法であって、
要求メッセージを送信すること、ここで、前記要求メッセージが、無認可無線周波数スペクトル帯域において動作するセルにアクセスするために、前記無認可無線周波数スペクトル帯域へのアクセスを求める競合に勝つことなしに拡張物理ランダムアクセスチャネル（ｅＰＲＡＣＨ）上でユーザ機器（ＵＥ）によって送信される、と、
複数のインターリーブされたリソースブロック上でダウンリンク（ＤＬ）チャネル使用ビーコン信号を受信することと、
前記要求メッセージを送信したことに応答して、前記無認可無線周波数スペクトル帯域を介して応答メッセージを受信すること、ここで、前記要求メッセージが、好ましくは、事前構成されたアップリンククリアチャネルアセスメント（ＣＣＡ）免除送信（ＣＥＴ）オケージョン中に送信される、
を備える方法。
【請求項１４】
前記第１の要求メッセージを受信することと前記応答メッセージを送信することとの間に、前記第１のＵＥのコンテキストをソース基地局に要求すること、および／または
複数のＵＥのうちの少なくとも１つからそれぞれの要求メッセージを受信すること、ここで、それぞれの要求メッセージが、それぞれのデバイス識別子を備え、前記第１の要求メッセージが、第１のデバイス識別子を備える、および／または
前記第１のＵＥのほうを優先して前記複数のＵＥの間のチャネル競合を解決すること、および
前記応答メッセージ中に前記第１のデバイス識別子を含めること、
をさらに備える、請求項２に記載の方法。
【請求項１５】
ワイヤレス通信のための方法であって、
複数のインターリーブされたリソースブロック上でアップリンク（ＵＬ）チャネル使用ビーコン信号を受信することと、
第１の要求メッセージを受信すること、ここで、前記第１の要求メッセージが、無認可無線周波数スペクトル帯域において動作するセルにアクセスするために、第１のユーザ機器（ＵＥ）から拡張物理ランダムアクセスチャネル（ｅＰＲＡＣＨ）上で基地局によって受信される、と、
前記第１のＵＥから前記第１の要求メッセージを受信したことに応答して、前記無認可無線周波数スペクトル帯域へのアクセスを求める競合に勝つことなしに、前記無認可無線周波数スペクトル帯域を介して応答メッセージを送信することと、ここで、前記要求メッセージが、好ましくは、事前構成されたダウンリンククリアチャネルアセスメント（ＣＣＡ）免除送信（ＣＥＴ）オケージョン中に送信される、
を備える、方法。
【手続補正２】
【補正対象書類名】明細書
【補正対象項目名】０２８２
【補正方法】変更
【補正の内容】
【０２８２】
[0306]本開示についての以上の説明は、当業者が本開示を作成または使用することができるように与えられたものである。本開示への様々な修正は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
［Ｃ１］
ワイヤレス通信のための方法であって、
無認可無線周波数スペクトル帯域へのアクセスを求める競合に勝つことと、
前記無認可無線周波数スペクトル帯域へのアクセスを求める前記競合に勝つと要求メッセージを送信すること、ここで、前記要求メッセージは、前記無認可無線周波数スペクトル帯域において動作するセルにアクセスするために、拡張物理ランダムアクセスチャネル（ｅＰＲＡＣＨ）上でユーザ機器（ＵＥ）によって送信される、と、
前記要求メッセージを送信したことに応答して、前記無認可無線周波数スペクトル帯域を介して応答メッセージを受信することと、
を備える、方法。
［Ｃ２］
前記要求メッセージが、接続セットアップ要求、ハンドオーバ完了指示、接続再確立要求、バッファステータス報告、デバイス識別子、または原因値のうちの少なくとも１つを備える、Ｃ１に記載の方法。
［Ｃ３］
前記応答メッセージが、接続構成メッセージ、チャネル競合解決指示、スケジュールされたアップリンク許可、デバイス識別子、またはタイミング調整の指示のうちの少なくとも１つを備える、Ｃ１に記載の方法。
［Ｃ４］
前記ｅＰＲＡＣＨが、前記無認可無線周波数スペクトル帯域を介して送信される、Ｃ１に記載の方法。
［Ｃ５］
前記要求メッセージが、スケジュールされていない要求メッセージである、Ｃ１に記載の方法。
［Ｃ６］
システム情報ブロック中で、前記応答メッセージの受信のための少なくとも１つの時間窓の指示を受信すること、
をさらに備える、Ｃ１に記載の方法。
［Ｃ７］
前記少なくとも１つの時間窓のうちの少なくとも１つ中に前記応答メッセージについて前記無認可無線周波数スペクトル帯域を監視すること、
をさらに備える、Ｃ６に記載の方法。
［Ｃ８］
前記少なくとも１つの時間窓の前記指示が、少なくとも１つの接続確立時間窓の第１の指示と少なくとも１つのハンドオーバ時間窓の第２の指示とを備える、Ｃ６に記載の方法。
［Ｃ９］
システム情報ブロック中で、周波数インターレースリソースブロックへの前記ｅＰＲＡＣＨのリソースセットのマッピングを受信すること、
をさらに備える、Ｃ１に記載の方法。
［Ｃ１０］
前記ｅＰＲＡＣＨの前記リソースセットの中から、前記要求メッセージを送信するためのリソースセットを選択すること、
をさらに備える、Ｃ９に記載の方法。
［Ｃ１１］
前記システム情報ブロック中で、前記ｅＰＲＡＣＨのためのトランスポートブロックサイズの少なくとも１つの指示を受信すること、
をさらに備える、Ｃ９に記載の方法。
［Ｃ１２］
前記システム情報ブロック中で、前記ｅＰＲＡＣＨについての少なくとも１つの電力制御パラメータを受信すること、
をさらに備える、Ｃ１１に記載の方法。
［Ｃ１３］
システム情報ブロック中で、前記送信することを実行するために利用可能な少なくとも１つのサブフレームの指示を受信すること、
をさらに備える、Ｃ１に記載の方法。
［Ｃ１４］
前記応答メッセージを受信したことに応答して、スケジュールされた確認メッセージを送信すること、
をさらに備える、Ｃ１に記載の方法。
［Ｃ１５］
前記応答メッセージを受信する前に前記送信することを繰り返すこと、
をさらに備える、Ｃ１に記載の方法。
［Ｃ１６］
前記ｅＰＲＡＣＨが、少なくとも１つの競合ベースのリソースセットを備える、Ｃ１に記載の方法。
［Ｃ１７］
前記ｅＰＲＡＣＨが、少なくとも１つの専用のリソースセットをさらに備える、Ｃ１６に記載の方法。
［Ｃ１８］
前記要求メッセージが、前記少なくとも１つの専用のリソースセットのうちの１つを使用して送信されたハンドオーバ完了指示である、Ｃ１６に記載の方法。
［Ｃ１９］
前記要求メッセージが、サブフレーム境界と同期して送信される、Ｃ１に記載の方法。
［Ｃ２０］
ワイヤレス通信のための方法であって、
要求メッセージを送信すること、ここで、前記要求メッセージが、無認可無線周波数スペクトル帯域において動作するセルにアクセスするために、前記無認可無線周波数スペクトル帯域へのアクセスを求める競合に勝つことなしに拡張物理ランダムアクセスチャネル（ｅＰＲＡＣＨ）上でユーザ機器（ＵＥ）によって送信される、と、
前記要求メッセージを送信したことに応答して、前記無認可無線周波数スペクトル帯域を介して応答メッセージを受信することと、
を備える、方法。
［Ｃ２１］
前記要求メッセージが、事前構成されたアップリンククリアチャネルアセスメント（ＣＣＡ）免除送信（ＣＥＴ）オケージョン中に送信される、Ｃ２０に記載の方法。
［Ｃ２２］
ワイヤレス通信のための方法であって、
無認可無線周波数スペクトル帯域へのアクセスを求める競合に勝つことと、
第１の要求メッセージを受信すること、ここで、前記第１の要求メッセージが、前記無認可無線周波数スペクトル帯域において動作するセルにアクセスするために、第１のユーザ機器（ＵＥ）から拡張物理ランダムアクセスチャネル（ｅＰＲＡＣＨ）上で基地局によって受信される、と、
前記無認可無線周波数スペクトル帯域へのアクセスを求める前記競合に勝ったことに応答して、また前記第１のＵＥから前記第１の要求メッセージを受信したことに応答して、前記無認可無線周波数スペクトル帯域を介して応答メッセージを送信することと、
を備える、方法。
［Ｃ２３］
前記第１の要求メッセージが、接続セットアップ要求、ハンドオーバ完了指示、接続確立要求、バッファステータス報告、デバイス識別子、または原因値のうちの少なくとも１つを備える、Ｃ２２に記載の方法。
［Ｃ２４］
前記応答メッセージが、接続構成メッセージ、チャネル競合解決指示、スケジュールされたアップリンク許可、デバイス識別子、またはタイミング調整の指示のうちの少なくとも１つを備える、Ｃ２２に記載の方法。
［Ｃ２５］
前記ｅＰＲＡＣＨが、前記無認可無線周波数スペクトル帯域を介して受信される、Ｃ２２に記載の方法。
［Ｃ２６］
前記第１の要求メッセージを受信することと前記応答メッセージを送信することとの間に、前記第１のＵＥのコンテキストをソース基地局に要求すること、
をさらに備える、Ｃ２２に記載の方法。
［Ｃ２７］
複数のＵＥのうちの少なくとも１つからそれぞれの要求メッセージを受信すること、ここで、それぞれの要求メッセージが、それぞれのデバイス識別子を備え、前記第１の要求メッセージが、第１のデバイス識別子を備える、
をさらに備える、Ｃ２２に記載の方法。
［Ｃ２８］
前記第１のＵＥのほうを優先して前記複数のＵＥの間のチャネル競合を解決することと、
前記応答メッセージ中に前記第１のデバイス識別子を含めることと、
をさらに備える、Ｃ２７に記載の方法。
［Ｃ２９］
ワイヤレス通信のための方法であって、
第１の要求メッセージを受信すること、ここで、前記第１の要求メッセージが、無認可無線周波数スペクトル帯域において動作するセルにアクセスするために、第１のユーザ機器（ＵＥ）から拡張物理ランダムアクセスチャネル（ｅＰＲＡＣＨ）上で基地局によって受信される、と、
前記第１のＵＥから前記第１の要求メッセージを受信したことに応答して、前記無認可無線周波数スペクトル帯域へのアクセスを求める競合に勝つことなしに、前記無認可無線周波数スペクトル帯域を介して応答メッセージを送信することと、
を備える、方法。
［Ｃ３０］
前記要求メッセージが、事前構成されたダウンリンククリアチャネルアセスメント（ＣＣＡ）免除送信（ＣＥＴ）オケージョン中に送信される、Ｃ２９に記載の方法。